(57)【要約】固定媒体上の情報をプロテクトする方法及び装置であって、固体媒体は多数の脆弱性を含み、この方法は、固定媒体のセキュリティ要素（A、B、C、D、E、F）を確立し、セキュリティ要素のそれぞれに対してセキュリティ要素の変形を決定し、セキュリティ要素の変形の一つを擬似ランダムに選択し、擬似ランダムに選択したセキュリティ要素の変形を伴った情報を符号化し、選択及び符号化手順を少なくとも3回繰り返し、それにより情報は少なくとも4つのセキュリティ要素の変形を伴って符号化され、複製防止層IIを作成し、複製検知要素を確立し、複製検知要素のそれぞれに対して複製検知要素の変形を決定し、少なくとも一つの複製検知要素の変形を擬似ランダムに選択し、少なくとも一つの選択された複製検知要素の変形を伴った複製防止層を符号化する手順を備え、この方法は、市販のメディアプレーヤによる情報の再生を可能にし、この方法は、複製防止及び、原本の固定媒体と複製固定媒体を区別する手段を提供する。
2006526233.tif 000002
【特許請求の範囲】
【請求項１】
固定媒体に記録される情報をプロテクトする方法であって、前記固定媒体は、複数の脆弱性と、この脆弱性に基づく多数のセキュリティ要素の変形を有し、前記固定媒体は、更に複数の複製検知要素の変形を有し、
前記方法は：
前記セキュリティ要素の変形の一つを選択する手順と；
前記選択されたセキュリティ要素の変形を伴う前記情報を符号化する手順と；
少なくとも一回は前記選択及び符号化手順を繰り返し、それにより複製防止層を作成する手順と；
前記複製検知要素の変形の少なくとも一つを選択する手順と；
前記少なくとも一つの選択された複製検知要素の変形を伴う前記複製防止層を符号化し、それにより符号化情報を作成する手順と；および
前記符号化情報を前記固定媒体に書き込む手順を備えており、
前記情報はプロテクトされているかまたは前記固定媒体である（前記情報は前記固定媒体上でプロテクトされている）、
プロテクト方法。
【請求項２】
物理的プロテクト要素を確立する手順と；
前記物理的プロテクト要素のそれぞれに対して物理的プロテクト要素の変形を決定する手順と；
前記物理的プロテクト要素の変形の一つを擬似ランダムに選択する手順と；
前記擬似ランダムに選択された物理的プロテクト要素の変形を前記固定媒体に追加する手順と；
を更に備える請求項1に記載の方法。
【請求項３】
前記セキュリティ要素の変形の選択手順は擬似ランダムに行われる請求項1または請求項2に記載の方法。
【請求項４】
前記複製検知の変形の少なくとも一つを選択する手順は擬似ランダムに行われる請求項1〜3のいずれかに記載の方法。
【請求項５】
前記方法は、固定媒体においてトラック毎に、またはパケット毎に行われる請求項1〜4のいずれかに記載の方法。
【請求項６】
前記繰り返し手順は少なくとも3回行われる請求項1〜5のいずれかに記載の方法。
【請求項７】
前記固定媒体はデジタル媒体である請求項1〜6のいずれかに記載の方法。
【請求項８】
前記固定媒体はコンパクトディスクである請求項7に記載の方法。
【請求項９】
前記固定媒体はデジタルオーディオテープである請求項7に記載の方法。
【請求項１０】
前記固定媒体はデジタルビデオディスクである請求項7に記載の方法。
【請求項１１】
前記情報は市販のメディアプレーヤにより検索可能である請求項1〜10の何れかに記載の方法。
【請求項１２】
前記複製プロテクト層はインテリジェント装置による複製を防止する請求項1〜１１の何れかに記載の方法。
【請求項１３】
固定媒体上の情報をプロテクトする装置であって、前記情報はスタジオ原盤から得られ、前記固定媒体は脆弱性を有し、前記装置は：
プロセッサであって、スタジオ原盤から情報を得るプロセッサと；
符号器であって、前記プロセッサと相互に作用し、脆弱性に基づくセキュリティ要素及び複製プロテクト要素を伴うスタジオ原盤からの情報を符号化し、符号化情報を前記プロセッサに提供する符号器と；
前記プロセッサを制御する制御装置と；
ガラス原盤作成用のレーザー光レコーダであって、前記プロセッサから前記符号化情報を得るレーザー光レコーダと；および
前記ガラス原盤から前記固定媒体を作成する刻印機と、
を備える装置。
【請求項１４】
物理的プロテクト器において、前記刻印機と相互に作用して物理的プロテクト要素を前記固定媒体に追加する物理的プロテクト器を更に備える請求項13に記載の装置。
【請求項１５】
前記物理的プロテクト器は前記制御装置により制御される請求項14に記載の装置。
【請求項１６】
前記レーザー光レコーダは、前記レーザー光レコーダにより作成されるガラス原盤の数を制限するための、前記制御装置へのフィードバックインタフェースを含む請求項13または請求項15のいずれかに記載の装置。
【発明の詳細な説明】
【技術分野】
【０００１】
本発明は、コンパクトディスク（CD）、デジタルオーディオテープ（DAT）、またはデジタルビデオディスク（DVD）のような固定媒体のデータ、音楽、またはビデオのような情報をプロテクトする方法に関する。より具体的には、本発明は、原本固定媒体の記録中に利用され、それにより情報が、複製を思いとどまらせ、いかなる複製も容易に特定できるように、符号化される方法に関する。
【背景技術】
【０００２】
コンパクトディスク（CD）、デジタルビデオディスク（DVD）、及びデジタルオーディオテープ（DAT）は、データ、ソフトウェア、画像、及びオーディオ用の単一標準デジタル記録媒体を提供する。媒体の内容の正確な複製を作成する能力はしばしば、情報の交換、配布、及びアーカイブへの保管を可能にする不可欠な属性である。
【０００３】
しかし、ときには複製を防止する必要がある。例えば、著作権のある資料の不正な複製を作成することは違法である。ソフトウェア、音楽、及びビデオの提供者は、作品の不正な複製を防止しながら、デジタル形式で著作権のある作品を配布する必要がある。デジタル情報の複製を選択的に禁止する方法が必要である。
【０００４】
更に、違法の複製と原本製品とを特定し、区別する必要がある。違法複製を特定する能力がなければ、著作権侵害を首尾よく突き止め、告訴することは極端に難しい。
【発明の開示】
【発明が解決しようとする課題】
【０００５】
上記の問題を解決するために、種々の方法が試みられたが、本方法より以前に、複製プロテクト及び特定方法が完全に首尾よく実行されたことはない。これにはいくつかの理由がある。
【０００６】
第１に、コンパクトディスクに対しては、情報を記録する方法についての非常に精密なガイドラインがある。これらのガイドラインは「グリーンブック」、「イエローブック」、「レッドブック」及び「オレンジブック」として知られている。いかなるプロテクト及び特定方法も、データをすべてのメディアプレーヤが読めることを保証するために、これらの基準を満たさなければならない。種々の複製プロテクト方式は上記の基準には準拠しておらず、その結果、CDの情報を常に読むことができるとは限らない。例えば、ある複製防止方式は、Macintoshのコンピュータではまったく機能しないか、又は、ある自動車用のCDプレーヤ、種々のブランドのCDプレーヤ、またはゲームコンソールでは機能しない。
【０００７】
第２に、複製プロテクトが例えばCDに導入されたとすると、ある会社により製造される全ての同様のタイトルが付いたCDに使用されるのは、通常は同じプロテクト方式であり、CDの全てのトラックに対して一般的には同じである。このことに関する問題は、ハッカーは、通常は複製プロテクトを回避する方法を見つけることができ、「クラック」が見つかるや否や、それはインターネットに公表されてしまう。この公表により、この製造会社の全ての同様なCDの複製プロテクトが役に立たないものとなる。
【課題を解決するための手段】
【０００８】
発明の概要
【０００９】
本発明は、記録される媒体の既知の脆弱性を、その脆弱性に基づくセキュリティ要素及び要素の変形を使用して、有効に利用する方法を提供することにより上記欠陥の克服を図るものである。セキュリティ要素の変形はランダムに選択され、固定媒体に記録される情報は、このセキュリティ要素の変形を伴って符号化される。
【００１０】
更に、一緒にインターリーブされた多数のセキュリティ要素を使用することにより、情報の複製をより難しくする。本方法は更に固定媒体上の各トラックを、一緒にインターリーブされた、異なるセキュリティ要素を使用して符号化するのが好ましく、それにより固体媒体のセキュリティをハッキングする行為が、時間がかかり、煩わしいものとなる。
【００１１】
種々のセキュリティ要素の変形を情報にインターリーブすることにより、複製プロテクト層が形成される。
【００１２】
複製検知層が更に複製プロテクト層の上に追加されることにより、著作権所有者は固定媒体の原本と複製版とを区別することができる。これにより、著作権侵害者を突き止め、告訴することが容易になる。
【００１３】
大型プロテクト層を更に固定媒体に追加することができる。これには、固定媒体への一つ以上の物理的プロテクト要素を追加することが含まれる。
【００１４】
上記のことは、スタジオ原盤の情報を、上記のセキュリティ要素及び複製検知要素と共に符号化する特殊符号器を有する装置を使用して実行される。符号器はプロセッサと相互に作用して、CD製造設備におけるガラス原盤用のレーザー光レコーダを制御する。ガラス原盤から作成される各固定媒体は、上記の特定されたセキュリティ要素を含むことになる。
【００１５】
従って、本発明は固定媒体に記録される情報をプロテクトする方法を提供し、前記固定媒体は、複数の脆弱性を有し、脆弱性に基づくセキュリティ要素の変形を有するセキュリティ要素を多数有し、前記固定媒体は更に、複製検知要素の変形を伴う複数の複製検知要素を有し、前記方法は、前記セキュリティ要素の変形の一つを選択し、前記選択されたセキュリティ要素の変形を伴う前記情報を符号化し、前記選択及び符号化手順を少なくとも１回繰り返し、それにより複製防止層を作成し、前記複製検知要素の変形の少なくとも一つを選択し、前記少なくとも一つの選択された複製検知要素の変形を伴う前記複製防止層を符号化し、それにより、符号化情報を作成し、前記符号化情報を前記固定媒体に書き込む手順を備え、前記方法は、市場に出回っているメディアプレーヤによる前記情報の再生を可能にし、前記複製プロテクト層は、複製プロテクトを提供し、前記複製検知要素による前記符号化は、原本の固定媒体と複製固体媒体とを区別する手段を提供する。
【００１６】
本発明は更に、固定媒体の情報プロテクトのための装置を提供し、前記情報はスタジオ原盤から得られ、前記固定媒体は脆弱性を有し、前記装置は、プロセッサであって、スタジオ原盤から情報を得るプロセッサと、符号器であって、前記プロセッサと相互に作用し、スタジオ原盤からの情報を、脆弱性に基づくセキュリティ要素及び複製プロテクト要素と共に符号化し、前記符号化情報を前記プロセッサに提供する符号器と、前記プロセッサを制御する制御装置と、ガラス原盤作成用のレーザー光レコーダであって、前記プロセッサから前記符号化情報を得るレーザー光レコーダと、前記ガラス原盤から前記固定媒体を作成する刻印機とを備える。
【発明を実施するための最良の形態】
【００１７】
（実施例１）
詳細な説明
【００１８】
ここで図１を参照する。本発明の方法は、記録される媒体の固有で既知の脆弱性と、既知のパブリックドメインソリューションの実行のみに基づいている。コンパクトディスクに対するそのような脆弱性には、例えば、信号の幅、高さ、及びタイミングの変更、トラックホッピングまたは切替え、各トラックのリーダー及び／またはトレーラへのデータの追加、ランダムな連続番号の追加、またはサブチャネルの修正が含まれる。他の脆弱性も存在し、当業者にはよく知られている。当業者は更に、ネットワークを介して送信される信号のような、媒体の他の形式を認識し、本発明の方法を使用して利用できる他の脆弱性を見つけることも可能であり、本発明は脆弱性の特別な形式に制限されるものではない。
【００１９】
本発明の基盤は脆弱性に基づくセキュリティ要素の混合と整合であり、セキュリティ要素は装置により擬似ランダム的に選択される。このように、例えば、セキュリティ要素はトラックホッピングを利用して第１複製防止要素を追加できる。本発明の方法は次に、次のセキュリティ要素の基盤として信号のタイミングにおける変形を選択してもよい。
【００２０】
セキュリティ要素は共生的関係で相互にインターリーブされ、各セキュリティ要素は、一連のセキュリティの一部として他の上に形成される。複製プロテクト層IIはこれらのセキュリティ要素を使用して作成される。
【００２１】
複製プロテクト層IIは、プロセッサまたは符号器で利用できるセキュリティ要素テーブルから多数のセキュリティ要素を選択することにより作成される。これらのセキュリティ要素のそれぞれは更に、好適な実施形態において、多数の要素の変形を有することができ、本発明の方法は、それぞれが少なくとも4つの要素の変形を有する、少なくとも8つのセキュリティ要素の集まりから選択できるようになる。セキュリティ要素の変形がインターリーブされる順序もまた、ランダムに選択される。
【００２２】
本発明の好適な本実施形態は、トラック当り少なくとも4つの要素の変形を含むことになる。図１の実施形態において、複製プロテクト層IIは、ランダムに選択された6つのセキュリティ要素の変形を含む。図１において、これらには、要素「A」、「B」、「C」、「D」、「E」及び「F」との名前が付けられている。
【００２３】
複製プロテクト層IIは、媒体の各トラックで変わることが好ましい。このように、例えば、音楽CDでは、各曲は異なる複製プロテクト層IIを有することになる。トラック単位でのトラック上のランダムさとソリューションの量は、「ハッカー」にとって、固定媒体に含まれる全てのプロテクト機構を回避するためには膨大な時間を要する作業となる。
【００２４】
複製プロテクト層IIは、メディアプレーヤをCDに提供して複製を防止することにより、インテリジェントプレーヤを機能させる。このメディアプレーヤは、オーディオCDの場合は、CDの音楽をPCが再生でき、CD−ROMの場合は、CDの情報をPCが認識できるように適応している。しかし、デジタル複製が試みられると、複製プロテクト層IIの要素のため、PCは処理を続けられなくなる。
【００２５】
単一複製検知層IVを複製防止層II上に追加できる。単一複製検知層IVは再度、電子的透かし、ランダムな連続番号、指紋、及び監査信号のような公知の多数の要素からランダムに選択される。他の検知要素は従来技術においてよく知られており、本発明は、いかなる検知要素によっても制限されるものではない。
【００２６】
各複製検知要素は更に、多数の変形を有することでき、コンピュータは再度、これらの変形から選択して、複製者が複製検知要素を検知するのを難しくする。複製検知要素の変形は図１において記号「G」を使用して示される。
【００２７】
複製検知要素は一般的に、原本と複製間でやり取りされることはなく、原本の著作権の所有者に、ディスクが複製であることを証明する方法を提供する。これにより、著作権の所有者が著作権侵害を証明することができるという優位点が提供される。
【００２８】
大型複製検知層VIを、単一複製検知層IV上に追加できる。大型複製検知層VIは、物理的プロテクト要素のグループから一つ以上を含むことができる。これらには、物理的透かし、物理的連続番号、ホログラフィックマーク、または他の物理的手法の種々のタイプが含まれる。これらの物理的プロテクト要素は可視または不可視であってよい。物理的プロテクト要素はよく知られており、当業者であれば、上記に列挙したもの以外に、他の物理的プロテクト要素も使用可能であり、本発明がいかなる特別な物理的プロテクト要素にも限定されないということを認識するであろう。
【００２９】
図１を参照すると、要素は一般的に、下記の方法で組み合わされる。ランダムな選択は通常は、X＝(ABCDEF)+G+Hで示され、ここで、
Xは複製防止及びプロテクト選択、
A、B、C、D、E、Fは電子的複製プロテクトのためにランダムに選択されたランダム要素の変形であり、
Gはランダムに選択された単一複製検知要素の変形であってよく、
Hはランダムに選択された大型複製プロテクト要素の変形であってよい。このように、複製プロテクト要素のグループ化は、単一複製及び大型複製検知要素と組み合わされる。
【００３０】
上記のことは、AからHのいずれかが固定され、それが、例えば、固定媒体に確実に透かしがあるように、確実に作用させるようにすることにより、ユーザーの要求に合うように修正してもよい。更に、別の層「I」を、もしユーザーにより要求されるのであれば、データを暗号化するために追加することもできる。これは、一般的にはデータを取り扱わず、サブトラックを取り扱う「A」から「H」の層とは区別される。
【００３１】
本発明の方法には更に、従うべきいくつかの規則がある。これらの規則には下記が含まれる。
1.  プロテクト方法により変更された全ての媒体は、「オレンジブック」に準拠するいかなる市販のプレーヤでも再生できるものでなければならない。
2.  プロテクトされた静的媒体を再生するときは、認識できる歪みまたは雑音があってはならない。
3.  PCを使用して複製された媒体は、プロテクトされていることを呈示しなければならない。
4.  プロテクトは、プロテクト要素の組み合わせの結果でなければならない。
5.  プロテクトは、媒体に関連付けられた固有の脆弱性の結果でなければならず、セキュリティ要素の電子的及び物理的両方の追加を含む。セキュリティ機能は、ハード的及びソフト的要素の変形を含んでよく、ハード的セキュリティ要素は複製時に移され、ソフト的要素の変形は複製時に移されない。物理的セキュリティ要素はまた、原本媒体からの複製媒体を決定するため、及び、販売時の盗難防止用に使用してもよい。
【００３２】
上記のプロテクト手法は、破ることが困難な、そしてトラックまたはパケット毎に変化する複製プロテクト手法を提供することにより、従来技術の欠陥を克服する。プロテクトの更なる可能性は、この手法は全てのガラス原盤に対して異なるようにすることができ、同一タイトルに対して複数のプロテクト手法を作成することを支援することにある。プロテクト手法は更に、原本の複製から、著作権侵害の複製を特定するために使用できる複製検知手法を組み込んでいる。
【００３３】
上記のことは、一群を一括して、または個々のデータCD、音楽CD、ビデオDVDまたは他の媒体ごとに利用できる。言い換えれば、CDのような一連の媒体は、各CD毎に変えることもできるし、一群のCDに対して同一プロテクト手法を有することもできる。各一連のセキュリティの複雑さは意図的なものであり、セキュリティ機能は、それらのプロテクト価値を増大するためにインターリーブされる。しかし、プロテクト方法は、音楽、ビデオを再生し、またはデータを受け入れる再生装置により迅速に解読できるように、簡単であるように維持される。
【００３４】
上記のプロテクト手法は、下記の方法により実行される。ここで、図２を参照する。
【００３５】
スタジオ原盤22に含まれる情報はインタフェース24を通り、プロセッサ26に達する。制御装置30はプロセッサ26の制御及び更新に使用される。
【００３６】
プロセッサは更に、符号器28を含む。符号器28は、本発明の方法において、上記のようなセキュリティ要素の変形及び複製検知の変形を選択する擬似ランダム選択器を含む。
【００３７】
符号器28は、インタフェース24からの元の記号列を、「オレンジブック」に準拠する全ての復号器により解読されるトラック毎のチャネル及びサブチャネルのビット列に符号化する。これらには、機能の一連のセキュリティの一部として使用される複製防止装置の多くの要素が含まれる。符号化された列は、レーザー光レコーダ（LBR）インタフェース32を通過して、市販のCD製造設備に含まれるレーザー光レコーダ（LBR）34に達する。
【００３８】
LBR34は、ガラス原盤36の製造に使用される。ガラス原盤36は、刻印機38により配布用のCD40を製造するために使用される。好適な実施形態においては、刻印機40には、一つのガラス原盤36から製造できるCDの数に対しての制限がある。これは、製造者の協力を得てなされる。
【００３９】
一つのガラス原盤36から製造できるCD40の数に制限があることは、セキュリティのレベルを追加することになる。一つのガラス原盤36から製造されるCDの数を例えば、50,000枚に制限することにより、人気のあるCDは、CDの需要に応えるために、多くのガラス原盤36を必要とする。各ガラス原盤は、符号器28により作成された、異なるセキュリティ層を有し、これにより、100万枚のCDが製造されるとすると、20枚の、異なる方法で符号化されたCDが必要となる。ハッカーがCDの一つのプロテクト手法を不正に破るために時間を費やし、それをインターネットに公表したとしても、それによって恩恵を受けるのは、同一のプロテクト機構を有するCDの複製を持ったユーザーのみとなる。
【００４０】
ガラス原盤を必要としない他の媒体においては、本発明の方法により想定される一つの可能性は、配布される媒体の各複製に対する固有のプロテクト機構を作成することである。このようにして、配布される各製品は、それぞれ異なるプロテクト手法を有し、ハッカーによる一つの不正なプロテクト破りは、他の誰をも支援することにはならない。
【００４１】
一つの実施形態において、CD製造者からのフィードバックを制御装置30に追加することができる。このフィードバックは特に、製造されるガラス原盤36の数を確立するために使用される。
【００４２】
（実施例２）
別の実施形態を図3に示す。図3の実施形態は、図2と同じ配置を含んでいるが、物理的プロテクト要素が追加されている。この実施形態は、このようにして大型複製層6の追加を可能にする。
【００４３】
図3の実施形態は、配布CD40の物理的区別の属性を利用する。物理的符号器42は、トラックにオーバヘッドまたは他のデータを追加することなく、追加情報を符号化する。これらの要素の中の幾つかは、法廷及び盗難防止のための解決を可能にする、連続番号、ランダム数、一群一括コード、ダイマーカ、他の方法の追加を含むことができる。
【００４４】
図3の実施形態において、制御装置30は情報を物理的符号器42へ送る。物理的符号器42は、ランダムに選択された物理的セキュリティ要素情報を含み、インタフェース43を介して刻印機38に、物理的セキュリティ要素を配布用に刻印されたCDに符号化するように通知する。
【００４５】
上記のことはCDについて記述されたが、DVD、DAT及び他の固定媒体の製造も考慮されており、当業者には、本発明の方法が、情報を伝える媒体の全ての形式に使用できるということが認識されよう。
【００４６】
上記の方法及び装置は、このようにしてPCまたは大型複製機械のようなインテリジェント装置に情報の複製をさせない媒体を製造する。それは更に、作品の著作権の所有者が、問題の媒体が原本か複製かを決定することを可能にする物理的及びソフト的複製検知の両者を提供する。
【００４７】
本発明は、その好適な実施形態に関して詳細に記述されたが、当業者は、他の様式も可能であり、本発明が、これに続く請求項による範囲においてのみ制限されるということは、容易に認識されよう。
【図面の簡単な説明】
【００４８】
【図１】本発明のセキュリティ層のグラフ描写を示す。
【図２】本発明の方法を実行するためのシステムの第１実施形態の模式図を示す。
【図３】本発明の方法を実行するためのシステムの第2実施形態の模式図を示す。
【符号の説明】
【００４９】
II：複製プロテクト層
IV：単一複製検知層
VI：大型複製検知層
1：アーティストまたはアーティストグループの著作権資料
2：スタジオ
3：CD製造
4：CD配布
5：配布用CD
6：内容プロテクト
7：データベース
8：インタフェース
9：符号化器の選択
10：プロセッサに含まれている
11：刻印されたCD
12：データベース
13：インタフェース
14：符号化器の選択
15：物理的プロテクト
22：スタジオ原盤
24：インタフェース
26：プロセッサ
30：制御装置
32：LBRインタフェース
36：ガラス原盤
38：1枚のガラス原盤に対して制限されている
【図２】
2006526233.tif 000003
【図３】
2006526233.tif 000004
【図１】
2006526233.tif 000005
【国際調査報告】
2006526233.tif 000006
2006526233.tif 000007
2006526233.tif 000008